(57)【要約】【課題】画像検索をスムーズに行うことができ、所定の画像処理等が施された画像についてはその細部を容易に確認することができる画像処理装置を提供する。【解決手段】画像処理装置の一例である印刷装置は、メモリカード等の記録媒体から所定の画像ファイルのサムネイル画像と本画像とを読み出すカードリーダ１０２と、読み出した画像を表示パネル２１４に表示する画像表示部１１０と、表示パネル２１４に表示された画像に対するトリミングを設定するシステム制御部１０６を備える。システム制御部１０６は、トリミング設定がなされた画像を表示パネル２１４に表示するときには、サムネイル画像を表示パネル２１４に表示するように設定されている場合であっても、トリミング設定がなされた画像の本画像をトリミング枠と共に表示パネル２１４に表示する。【選択図】図６
2014068222.tif 000002
【特許請求の範囲】
【請求項１】
記録手段に保存された複数の画像ファイルから所定の画像ファイルのサムネイル画像を読み出すサムネイル画像読み出し手段と、
前記所定の画像ファイルの本画像を読み出す本画像読み出し手段と、
前記サムネイル画像読み出し手段が読み出したサムネイル画像又は前記本画像読み出し手段が読み出した本画像を表示する表示手段と、
前記表示手段に表示された画像に対するトリミングを設定するトリミング設定手段と、
前記トリミング設定手段によりトリミング設定がなされた画像を前記表示手段に表示するときには、サムネイル画像を前記表示手段に表示するように設定されている場合であっても、前記トリミング設定がなされた画像の本画像をトリミング枠と共に前記表示手段に表示する制御手段と、を備えることを特徴とする画像処理装置。
【請求項２】
前記制御手段は、前記本画像読み出し手段が前記本画像を読み出して該本画像を前記表示手段に表示することができるようになるまで、前記本画像に対応するサムネイル画像と前記トリミング設定手段によりトリミング設定がなされていることを示すアイコンとを前記表示手段に表示することを特徴とする請求項１記載の画像処理装置。
【請求項３】
前記記録手段に保存された複数の画像ファイルから読み出した複数のサムネイル画像を前記表示手段に表示するように設定する表示設定手段を備え、
前記複数のサムネイル画像を前記表示手段に表示するように設定されている場合に、前記トリミング設定がなされた画像を前記表示手段に表示するときには、前記制御手段は、前記トリミング設定がなされた画像の本画像ではなく該画像のサムネイル画像を表示することを特徴とする請求項１又は２に記載の画像処理装置。
【請求項４】
前記表示手段に複数のサムネイル画像が表示されているときに、前記複数のサムネイル画像から１つのサムネイル画像を選択する選択手段を有し、
前記選択手段により選択されたサムネイル画像に対してトリミング設定がなされている場合、前記制御手段は、前記選択されたサムネイル画像に対応する本画像をトリミング枠と共に前記表示手段に表示することを特徴とする請求項１乃至３のいずれか１項に記載の画像処理装置。
【請求項５】
記録手段に保存された複数の画像ファイルから所定の画像ファイルのサムネイル画像を読み出すサムネイル画像読み出し手段と、
前記所定の画像ファイルの本画像を読み出す本画像読み出し手段と、
前記サムネイル画像読み出し手段が読み出したサムネイル画像又は前記本画像読み出し手段が読み出した本画像を表示する表示手段と、
前記表示手段に表示された画像に対する所定の画像処理の実行を設定する画像処理設定手段と、
前記画像処理設定手段により画像処理設定がなされた画像に対して前記所定の画像処理を実行する画像処理手段と、
前記画像処理設定がなされた画像を前記表示手段に表示するときには、サムネイル画像を前記表示手段に表示するように設定されている場合であっても、前記画像処理手段により画像処理された本画像を前記表示手段に表示する制御手段と、を備えることを特徴とする画像処理装置。
【請求項６】
前記制御手段は、前記画像処理手段により画像処理された本画像を前記表示手段に表示することができるようになるまで、前記本画像に対応するサムネイル画像と前記画像処理設定手段により画像処理設定がなされていることを示すアイコンとを前記表示手段に表示することを特徴とする請求項５記載の画像処理装置。
【請求項７】
前記記録手段に保存された複数の画像ファイルから読み出した複数のサムネイル画像を前記表示手段に表示するように設定する表示設定手段を備え、
前記複数のサムネイル画像を前記表示手段に表示するように設定されている場合に、前記画像処理設定がなされた画像を前記表示手段に表示するときには、前記制御手段は、前記画像処理設定がなされた本画像ではなく、該本画像に対応するサムネイル画像を表示することを特徴とする請求項５又は６に記載の画像処理装置。
【請求項８】
前記表示手段に複数のサムネイル画像が表示されているときに、前記複数のサムネイル画像から１つのサムネイル画像を選択する選択手段を有し、
前記選択手段により選択されたサムネイル画像に対して画像処理設定がなされている場合、前記制御手段は、前記選択されたサムネイル画像に対応する前記画像処理設定がなされた本画像を前記表示手段に表示することを特徴とする請求項５乃至７のいずれか１項に記載の画像処理装置。
【発明の詳細な説明】
【技術分野】
【０００１】
本発明は、例えば、本画像とサムネイル画像とが併せて画像ファイルとして記録されたメモリカード等の記録媒体から画像を検索して表示する画像処理装置における表示制御技術に関する。
【背景技術】
【０００２】
近年、デジタルカメラや携帯電話等の携帯機器の記憶媒体として、メモリカードが広く用いられるようになってきており、これにより、多くのユーザが、大量の画像ファイルを気軽に持ち運ぶことができるようになってきている。そこで、大量の画像ファイルからユーザが所望する画像をいち早く見つけ出すことができる画像検索技術が求められている。
【０００３】
一方、このような状況下でも、記録媒体に記録された画像を表示画面に表示しながら、画像を検索したいというニーズは存在する。しかし、デジタルカメラやプリンタ等で、画像を１枚ずつ順次送りながら所望の画像を検索する際に次の画像を表示するためには、一度、画像情報をデコードしてから表示させる必要がある。そのため、多くの画像の中から所望の画像を検索する場合には、非常に多くの時間が掛かってしまうことがある。そこで、本画像（表示画面の大きさほぼ一杯に表示される画像）を表示する代わりに、本画像を縮小して作られたサムネイル画像を複数表示し、印刷の指定を行う技術が提案されている（特許文献１参照）。
【先行技術文献】
【特許文献】
【０００４】
【特許文献１】特開２００６−１７３７６７号公報
【発明の概要】
【発明が解決しようとする課題】
【０００５】
しかしながら、サムネイル画像では、画像の細部を確認することができない。特に、印刷指定する画像に対し、トリミング等の印刷設定や、赤目補正等の画像処理等を行う場合には、印刷前に画像の細部を確認することができた方がよい。そこで、サムネイル表示モード、本画像表示モードを設け、画像送り時には表示時間の短いサムネイル表示モードを用い、画像の細部を確認するには本画像表示モードを使用する方法を採用することが考えられる。しかしながら、モード変更操作は、ユーザにとっては、煩わしく感じられる。
【０００６】
本発明は、画像検索をスムーズに行うことができ、所定の画像処理等が施された画像についてはその細部を容易に確認することができる技術を提供することを目的とする。
【課題を解決するための手段】
【０００７】
本発明に係る画像処理装置は、記録手段に保存された複数の画像ファイルから所定の画像ファイルのサムネイル画像を読み出すサムネイル画像読み出し手段と、前記所定の画像ファイルの本画像を読み出す本画像読み出し手段と、前記サムネイル画像読み出し手段が読み出したサムネイル画像又は前記本画像読み出し手段が読み出した本画像を表示する表示手段と、前記表示手段に表示された画像に対するトリミングを設定するトリミング設定手段と、前記トリミング設定手段によりトリミング設定がなされた画像を前記表示手段に表示するときには、サムネイル画像を前記表示手段に表示するように設定されている場合であっても、前記トリミング設定がなされた画像の本画像をトリミング枠と共に前記表示手段に表示する制御手段と、を備えることを特徴とする。
【発明の効果】
【０００８】
本発明によれば、画像検索を行う際にサムネイル画像を表示することにより、画像を高速に検索することができる。一方、トリミングや画像処理等の所定の加工が施された画像については、本画像を表示することにより細部を容易に確認することができる。
【図面の簡単な説明】
【０００９】
【図１】本発明の実施形態に係る印刷装置の概略構成を示すブロック図である。
【図２】印刷装置が備えるＵＩ操作部の概略構成を示す平面図である。
【図３】印刷装置における第１実施形態での画像表示モード毎の画像選択画面の一例を示す図である。
【図４】印刷装置における第１実施形態での、シングル本画像表示モード及びシングルサムネイル表示モードでの編集メニュー表示画面の例を示す図である。
【図５】印刷装置における第１実施形態での、トリミング設定画面の一例を示す図である。
【図６】印刷装置における第１実施形態での、表示画像に対しトリミング設定がなされた場合の各表示モードでの画像選択画面の一例を示す図である。
【図７】印刷装置における第１実施形態での、画像選択画面を表示する処理のフローチャートである。
【図８】印刷装置における第２実施形態での画像表示モード毎の画像選択画面の一例を示す図である。
【図９】印刷装置における第２実施形態での、画像選択画面を表示する処理のフローチャートである。
【発明を実施するための形態】
【００１０】
以下、本発明の実施の形態について、添付図面を参照して詳細に説明する。ここでは、本発明に係る画像処理装置の一例として印刷装置を取り上げることとする。但し、本発明はこれに限定されるものではなく、デジタルカメラ等の撮像装置、カメラ機能を備えた携帯電話端末、パーソナルコンピュータ等も、本発明に係る画像処理装置に含まれる。
【００１１】
《第１実施形態》
＜印刷装置の概略構成＞
図１は、本発明の実施形態に係る印刷装置の概略構成を示すブロック図である。印刷装置は、電源部１０１と、カードリーダ１０２と、通信部１０３と、Ｉ／Ｏ制御部１０４と、ＲＯＭ（不揮発性メモリ）１０５と、システム制御部１０６と、ＲＡＭ（揮発性メモリ）１０７とを備える。また、印刷装置は、画像処理部１０８と、ＶＲＡＭ領域１０９と、画像表示部１１０と、ＵＩ操作部１１１と、画像補正部１１２と、印刷画像生成部１１３と、印刷部１１４と、補助記憶部１１５とを備える。
【００１２】
電源部１０１は、印刷装置を構成し、給電を必要とする各部に対して電源の供給を行う。カードリーダ１０２は、印刷装置に装着された各種のメモリカード等の記録媒体に保存された画像ファイルから画像データを読み出す。なお、カードリーダ１０２だけでなく、ＣＤ或いはＤＶＤ等の記録媒体から画像データを読み出すための画像読出手段を備えた構成としてもよい。通信部１０３は、デジタルカメラ等の画像供給装置と接続されることによって、画像供給装置から送信される画像データを受信する。なお、本実施形態において取り扱う画像データは、サムネイル画像と本画像とが１つの画像ファイルとなったＪｐｅｇ形式のものであるとする。
【００１３】
Ｉ／Ｏ制御部１０４は、通信部１０３とカードリーダ１０２によるデータの入力及び出力を制御する。また、Ｉ／Ｏ制御部１０４は、通信部１０３とカードリーダ１０２のどちらのデータ入出力を有効にするかを判断し、更に、両方が同時に有効にならないように排他制御を行う。ＲＯＭ（不揮発性メモリ）１０５には、印刷装置を制御するためのプログラムや印刷装置を操作するためのメニュー画像データ等が格納されている。
【００１４】
システム制御部１０６は、ＲＯＭ１０５に格納されているプログラムを読み出して展開し、実行することによって、印刷装置の各部を制御すると共に、印刷装置の全体的な制御を行い、更に、各種処理に必要な演算処理を行う。
【００１５】
ＲＡＭ（揮発性メモリ）１０７は、Ｉ／Ｏ制御部１０４を通して通信部１０３又はカードリーダ１０２から読み出した画像データや、ユーザによる印刷指定データやトリミング設定データを一時的に保持する。また、ＲＡＭ１０７は、システム制御部１０６による演算処理合成処理で使われるデータの一時的な記憶領域として使用される。システム制御部１０６は、ＲＡＭ１０７に保持された画像データから、本画像データを読み出す本画像読出手段として機能し、また、サムネイル画像を読み出すサムネイル画像読出手段として機能する。
【００１６】
画像処理部１０８は、ＲＡＭ１０７やＲＯＭ１０５から読み出されたＪｐｅｇ画像データからＹＵＶ形式への伸張処理、リサイズやトリミング等の画像処理を行う。ＶＲＡＭ領域１０９は、画像表示部１１０が備える表示パネル２１４（図２を参照）に表示する画面データを保持する。画像処理部１０８は、Ｉ／Ｏ制御部１０４が読み出してＲＡＭ１０７に保持された画像に対して伸張やリサイズを施して表示用データを生成し、生成された表示用データはＶＲＡＭ領域１０９に保持される。これにより、画像表示部１１０の表示パネル２１４に画像を表示することが可能となる。また、ＲＯＭ１０５に保持されている操作用データをＶＲＡＭ領域１０９に保持することにより、画像表示部１１０の表示パネル２１４にメニュー画面等を表示することが可能になる。
【００１７】
画像表示部１１０は、システム制御部１０６による制御に従って、ＶＲＡＭ領域１０９に保持された表示用画像データや操作用データを読み出して、表示パネル２１４に画像やメニュー画像等を表示する。ＵＩ操作部１１１は、後述するように、電源ボタンや印刷ボタン、画像表示部１１０の表示パネルに表示されたメニューを操作するための各種操作ボタンを備えている。
【００１８】
画像補正部１１２は、表示パネル２１４に表示された印刷条件の設定画面を通じてユーザが決めた印刷条件に従って、画像処理部１０８で作成されたＹＵＶ画像に対して明るさ、コントラスト、色等を補正する画像処理を行う。印刷画像生成部１１３は、ＵＩ操作部１１１にて印刷指定された画像の印刷データを生成し、印刷部１１４へ送る。具体的には、印刷画像生成部１１３は、画像補正部１１２によって補正されたＹＵＶ形式の画像データをＹＭＣ形式の画像データへ変換し、更に必要に応じて、ＹＭＣ変換された画像に対して、スタンプや吹き出し、文字列等の合成処理を行う。
【００１９】
印刷部１１４は、本実施形態では、昇華型の熱転写記録方式を採用し、インクシートと用紙とが一体になったインクカートリッジを用いて、用紙に画像を印刷する。インクシートは、用紙の印画領域を覆っており、用紙サイズとほぼ等しいサイズで、イエロー（Ｙ）、マゼンタ（Ｍ）、シアン（Ｃ）の各インク層とオーバーコート（ＯＰ）層とが並べて設けられたものである。印刷部１１４は、用紙を送りながら１つの色を用紙に熱転写した後、用紙を記録開始位置に戻して別の色を用紙に熱転写する処理を繰り返すことで、用紙上にインクを順次重ねて転写する。印刷部１１４は、全色（Ｙ，Ｍ，Ｃの３色）の印刷が終了すると、最後にオーバーコート層を用紙に転写して、印刷処理を終了させる。このような処理を行うために、印刷部１１４は、不図示であるが、インクシートのインクを昇華させるサーマルヘッド、用紙を搬送する用紙搬送部、サーマルヘッドと用紙搬送部の動作を制御する印刷制御部を備えている。
【００２０】
補助記憶部１１５は、具体的には、ハードディスクドライブやフラッシュメモリ等であり、画像補正後のＹＵＶデータやＪｐｅｇデータ、印刷条件等を記憶する。
【００２１】
＜ＵＩ操作部１１１の概略構成＞
図２は、ＵＩ操作部１１１の概略構成を示す平面図である。ＵＩ操作部１１１は、操作パネル２０１と、操作パネル２０１上に配置された各種の操作ボタンを備えている。なお、操作パネル２０１には、画像表示部１１０の表示パネル２１４が配置されている。
【００２２】
ＵＩ操作部１１１は、ＰＯＷＥＲボタン２０２、ＭＥＮＵボタン２０３、ＥＤＩＴボタン２０４、左ボタン２０５、右ボタン２０６、＋（上ボタン）ボタン２０７、−（下ボタン）ボタン２０８及びＯＫボタン２０９を有する。また、ＵＩ操作部１１１は、拡大ボタン２１０、縮小ボタン２１１、ＢＡＣＫボタン２１２及びＰＲＩＮＴボタン２１３を有する。
【００２３】
ＰＯＷＥＲボタン２０２は、印刷装置の電源の入／切に使用される。ＭＥＮＵボタン２０３を押下することにより、表示パネル２１４にメニュー画面が表示される。ＥＤＩＴボタン２０４は、編集メニューの表示やトリミング枠の回転等に使用される。左ボタン２０５は、表示画像を１つ前に戻すとき、或いは、トリミング枠やフォーカス枠を移動させるときに使用される。右ボタン２０６は、表示画像を１つ先に進めるとき、或いは、トリミング枠やフォーカス枠を移動させるときに使用される。＋ボタン２０７は、印刷枚数を増やすとき、或いは、トリミング枠やフォーカス枠を移動させるときに使用される。−ボタン２０８は、印刷枚数を減らすとき、或いは、トリミング枠やフォーカス枠を移動させるときに使用される。
【００２４】
ＯＫボタン２０９は、各種の選択項目の決定に使用される。拡大ボタン２１０は、トリミング枠のサイズを拡大するときや、表示モードを切り換えるとき（表示パネル２１４における表示設定を行うとき）に使用される。縮小ボタン２１１は、トリミング枠のサイズを縮小するときや、表示モードを切り換えるときに使用される。ＢＡＣＫボタン２１２は、表示パネル２１４に表示されていた前の画面に戻るために使用される。ＰＲＩＮＴボタン２１３が押下されると、印刷が開始される。表示パネル２１４は、例えば、液晶ディスプレイ（ＬＣＤ）や有機ＥＬディスプレイ等であり、画像、各種アイコン及び印刷設定条件、印刷進行状態等が表示される。
【００２５】
＜画像表示モード＞
印刷装置の画像表示モードでの動作について説明する。図３は、印刷装置の第１実施形態での画像表示モード毎の画像選択画面の一例を示す図である。印刷装置の画像表示モードは、図３（ａ）に示すシングル本画像表示モードと、図３（ｂ）に示すシングルサムネイル表示モードと、図３（ｃ）に示すインデックス表示モードの３つのモードにより構成されている。なお、表示モードが変更されると、変更後の表示モードがＲＡＭ１０７によって保持される。
【００２６】
シングル本画像表示モードにおいて縮小ボタン２１１が押下されるとシングルサムネイル表示モードに変わり、シングルサムネイル表示モードにおいて縮小ボタン２１１が押下されるとインデックス表示モードに変わる。逆に、インデックス表示モードにおいて拡大ボタン２１０が押下されるとシングルサムネイル表示モードに変わり、シングルサムネイル表示モードにおいて拡大ボタン２１０が押下されるとシングル本画像表示モードに変わる。シングル本画像表示モードにおける表示画像３０１には本画像データが使用され、シングルサムネイル表示モードにおける表示画像３０２とインデックス表示モードにおける表示画像３０３にはサムネイル画像データが使用される。
【００２７】
図３（ａ），（ｂ）に示す枠３０４には、表示画像に対する印刷指定枚数が表示されており、図３（ａ）〜（ｃ）に示す枠３０５には、印刷用紙枚数が表示されている。図３（ｂ）には、トリミング画面への移行を促すガイダンス表示３０６が表示されている。シングル本画像表示モード及びシングルサムネイル表示モードにおいてＥＤＩＴボタン２０４が押下されると、それぞれ、表示パネル２１４の表示が編集メニュー表示画面（図４参照）へと移行する。図３（ｃ）に示すフォーカス枠３０７は、インデックス表示モードにおいて表示されている複数の表示画像３０３のうちのどのサムネイル画像が選択されている状態であるかを表している。
【００２８】
＜編集メニュー表示画面の例＞
図４は、印刷装置における編集メニュー表示画面の一例を示す図であり、図４（ａ）はシングル本画像表示モードでの編集メニュー表示画面の一例であり、図４（ｂ）はシングルサムネイル表示モードでの編集メニュー表示画面の一例である。
【００２９】
編集メニュー表示画面では、表示画像に対する赤目補正等の画像処理、トリミング等の印刷設定に関する項目が表示された編集メニュー４０１が表示される。図４（ａ），（ｂ）の例では、「トリミング」がフォーカス枠で示された状態、つまり「トリミング」が選択された状態が示されており、この状態でＯＫボタン２０９が押下されると、トリミング設定が受け付けられ、表示パネル２１４の表示は図５に示すトリミング画面へ移行する。
【００３０】
＜トリミング画面の例＞
図５は、トリミング画面の一例を示す図である。トリミング画面における表示画像５０１には、本画像データが使用される。トリミング枠５０２は、左ボタン２０５、右ボタン２０６、＋ボタン２０７、−ボタン２０８の押下によって移動させることができ、ＥＤＩＴボタンの押下によって回転させることができる。ＯＫボタン２０９が押下されると、トリミング枠が確定し、表示パネル２１４の表示は図６に示す画像選択画面に移行する。なお、ＢＡＣＫボタン２１２が押下されると、１つ前の画面（図４（ａ），（ｂ）のいずれか）に戻る。
【００３１】
＜トリミング設定がなされた場合の画像選択画面の例＞
図６は、表示画像に対しトリミング設定がなされた場合の各表示モードでの画像選択画面の一例を表す図である。図６（ａ）に示すシングル本画像表示モードでの表示画像６０１には、トリミング未設定時と同様に本画像データが使用され、トリミング枠６０２が重畳表示される。
【００３２】
図６（ｂ）に示すシングルサムネイル表示モードでの表示画像６０３には、本画像データを読み出して本画像を表示することができるようになるまで、サムネイル画像とトリミング設定がなされたことを表すトリミングアイコン６０４が表示される。そして、本画像の表示が可能になったタイミングで、図６（ｃ）に示すように、表示画像６０３には本画像が使用されて表示され、トリミング枠６０５が重畳表示され、トリミングアイコン６０４は非表示とされる。
【００３３】
図６（ｄ）に示すインデックス表示モードでの表示画像６０７には、サムネイル画像が使用され、トリミング設定がなされたことを示すトリミングアイコン６０８が並べて表示される。
【００３４】
＜画像選択画面の表示処理＞
図７は、画像選択画面を表示する処理のフローチャートである。図７の各処理は、システム制御部１０６が、ＲＯＭ１０５に格納されたプログラムをＲＡＭ１０７に展開して所定の演算を行うと共に、印刷装置を構成する各ブロックの動作を制御することにより実現される。
【００３５】
先ず、システム制御部１０６は、インデックス表示モードであるか否かを判定する（ステップＳ７０１）。インデックス表示モードではない場合（Ｓ７０１でＮＯ）、システム制御部１０６は、処理を後述のステップＳ７０５へ進める。
【００３６】
インデックス表示モードである場合（Ｓ７０１でＹＥＳ）、システム制御部１０６は、表示画像がトリミング済みであるか否かを判定する（ステップＳ７０２）。トリミング済みである場合（Ｓ７０２でＹＥＳ）、システム制御部１０６は、トリミング済みであることを表すトリミングアイコン（図６（ｄ）のトリミングアイコン６０８）を表示する（ステップＳ７０３）。トリミングされていない場合（Ｓ７０２でＮＯ）及びステップＳ７０３の処理が完了した場合、システム制御部１０６は、サムネイル画像を表示し（ステップＳ７０４）、その後、本処理を終了させる。
【００３７】
ステップＳ７０５において（ステップＳ７０１においてインデックス表示モードではない場合）、システム制御部１０６は、シングル本画像表示モードであるか否かを判定する。シングル本画像表示モードでない場合、つまり、シングルサムネイル表示モードである場合（Ｓ７０５でＮＯ）、システム制御部１０６は、処理を後述のステップＳ７０９へ進める。
【００３８】
シングル本画像表示モードである場合（Ｓ７０５でＹＥＳ）、システム制御部１０６は、表示画像がトリミング済みであるか否かを判定する（ステップＳ７０６）。トリミング済みである場合（Ｓ７０６でＹＥＳ）、システム制御部１０６は、トリミング枠（図６（ａ）に示すトリミング枠６０２）を表示する（ステップＳ７０７）。トリミングされていない場合（Ｓ７０６でＮＯ）及びステップＳ７０７の処理が完了した場合、システム制御部１０６は、本画像を表示し（ステップＳ７０８）、その後、本処理を終了させる。
【００３９】
ステップＳ７０９において（シングルサムネイル表示モードとなっている場合）、システム制御部１０６は、表示画像がトリミング済みであるか否かを判定する。トリミングされていない場合（Ｓ７０９でＮＯ）、システム制御部１０６は、サムネイル画像を表示し（ステップＳ７１０）、その後、本処理を終了させる。トリミング済みである場合（Ｓ７０９でＮＯ）、システム制御部１０６は、本画像の表示準備が完了したか否かを判定する（ステップＳ７１１）。
【００４０】
本画像の表示準備が完了していない場合（Ｓ７１１でＮＯ）、システム制御部１０６は、トリミングアイコン（図６（ｂ）のトリミングアイコン６０４）を表示し（ステップＳ７１２）、その後、サムネイル画像を表示する（ステップＳ７１３）。更に、システム制御部１０６は、本画像の表示準備（本画像データの読み出し、デコード）を行い（ステップＳ７１４）、続いて、ステップＳ７１２で表示したトリミングアイコンを非表示にする（ステップＳ７１５）。
【００４１】
本画像の表示準備が完了している場合（Ｓ７１１でＹＥＳ）及びステップＳ７１５の処理が完了した場合、システム制御部１０６は、トリミング枠を表示し（ステップＳ７１６）、続いて、本画像を表示し（ステップＳ７１７）、その後、本処理を終了させる。
【００４２】
《第２実施形態》
第１実施形態では、本画像に対してトリミングが実行された場合の画像表示形態について説明したが、第２実施形態では、表示画像に対し赤目補正等の画像処理が行われた場合の画像表示形態について説明する。第１実施形態と第２実施形態とでは、システム制御部１０６による処理内容は異なるが、印刷装置の概略構成は同じである。そのため、ここでは、印刷装置の概略構成についての説明を省略する。
【００４３】
＜画像表示モード＞
図８は、印刷装置の第２実施形態での画像表示モード毎の画像選択画面の一例を示す図であり、本画像に対して画像処理が行われた場合の画像選択画面を示している。
【００４４】
図８（ａ）に示すシングル本画像表示モードでの表示画像８０１には、本画像に対して画像処理が施された画像が表示される。図８（ｂ）に示すシングルサムネイル表示モードでの表示画像８０２には、本画像データを読み出して本画像を表示することができるようになるまで、サムネイル画像と、画像処理が設定されていることを示す画像処理アイコン８０４とが表示される。本画像の表示が可能となったタイミングで、図８（ｃ）に示すように、表示画像８０２には、本画像に対して画像処理が施された画像が表示され、画像処理アイコン８０４は非表示とされる。
【００４５】
図８（ｄ）に示すインデックス表示モードでの表示画像８０３には、サムネイル画像が使用され、画像処理アイコン８０４が表示される。
【００４６】
＜画像選択画面の表示処理＞
図９は、画像選択画面を表示する処理のフローチャートである。図９の各処理は、システム制御部１０６が、ＲＯＭ１０５に格納されたプログラムをＲＡＭ１０７に展開して所定の演算を行うと共に、印刷装置を構成する各ブロックの動作を制御することにより実現される。
【００４７】
先ず、システム制御部１０６は、インデックス表示モードであるか否かを判定する（ステップＳ９０１）。インデックス表示モードでない場合（Ｓ９０１でＮＯ）、システム制御部１０６は、処理を後述のステップＳ９０５へ進める。
【００４８】
インデックス表示モードである場合（Ｓ９０１でＹＥＳ）、システム制御部１０６は、表示画像に画像処理が設定されているか否かを判定する（ステップＳ９０２）。画像処理が設定されている場合（Ｓ９０２でＹＥＳ）、システム制御部１０６は、画像処理が設定されていることを示す画像処理アイコン（図８（ｄ）の画像処理アイコン８０４）を表示する。画像処理が設定されていない場合（Ｓ９０２でＮＯ）及びステップＳ９０３の処理が完了した場合、システム制御部１０６は、サムネイル画像を表示し（ステップＳ９０４）、その後、本処理を終了させる。
【００４９】
ステップＳ９０５において（ステップＳ９０１においてインデックス表示モードでない場合）、システム制御部１０６は、シングル本画像表示モードであるか否かを判定する。
シングル本画像表示モードでない場合（Ｓ９０５でＮＯ）、システム制御部１０６は、処理を後述のステップＳ９０９へ進める。シングル本画像表示モードである場合（Ｓ９０５でＹＥＳ）、システム制御部１０６は、表示画像に画像処理が設定されているか否かを判定する（ステップＳ９０６）。画像処理設定がなされている場合（Ｓ９０６でＹＥＳ）、システム制御部１０６は、本画像に設定された画像処理を施す（ステップＳ９０７）。画像処理設定がなされていない場合（Ｓ９０６でＮＯ）及びステップＳ９０７の処理が完了した場合、システム制御部１０６は、本画像を表示し（ステップＳ９０８）、その後、本処理を終了させる。
【００５０】
ステップＳ９０９において（ステップＳ９０５においてシングル本画像表示モードでない場合、つまり、シングルサムネイル表示モードである場合）、システム制御部１０６は、表示画像に画像処理が設定されているか否かを判定する。画像処理設定がなされていない場合（Ｓ９０９でＮＯ）、システム制御部１０６は、サムネイル画像を表示し（ステップＳ９１０）、その後、本処理を終了させる。一方、画像処理設定がなされている場合（Ｓ９０９でＹＥＳ）、システム制御部１０６は、本画像の表示準備が完了したか否かを判定する（ステップＳ９１１）。
【００５１】
本画像の表示準備が完了していない場合（Ｓ９１１でＮＯ）、システム制御部１０６は、画像処理アイコン（図８（ｂ）の画像処理アイコン８０４）を表示し（ステップＳ９１２）、続いて、サムネイル画像を表示する（ステップＳ９１３）。その後、システム制御部１０６は、本画像の表示準備（本画像データの読み出し、デコード）を行い（ステップＳ９１４）、次いで、ステップＳ９１２で表示した画像処理アイコンを非表示にする（ステップＳ９１５）。
【００５２】
本画像の表示準備が完了した場合（Ｓ９１１でＹＥＳ）及びステップＳ９１５の処理が完了した場合、システム制御部１０６は、本画像を表示し（ステップＳ９１７）、その後、本処理を終了させる。
【００５３】
以上の説明の通り、本実施形態によれば、設定されている画像表示モードでの画像検索を高速で行うことができると共に、トリミングや画像処理等の所定の加工が施された画像については本画像を表示することにより細部を容易に確認することができる。
【００５４】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５５】
例えば、図６（ｄ）に示すインデックス表示モードにおいてトリミングアイコン６０８が表示されたサムネイル画像を選択すると、シングルサムネイル表示モードに移行する。そして、選択されたサムネイル画像が表示される図６（ｂ）の状態となった後に、自動的に、選択されたサムネイル画像に対応する本画像が表示される図６（ｃ）の状態に移行する構成としてもよい。また、図６（ｄ）に示すインデックス表示モードにおいてトリミングアイコン６０８が表示されていないサムネイル画像を選択すると、シングル本画像表示モードに移行し、選択されたサムネイル画像に対応する本画像が表示される図６（ａ）の状態となる構成とすることができる。図８の例でも同様の処理が行われるようにすることができる。
【００５６】
本発明は以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００５７】
１０２    カードリーダ
１０５    不揮発性メモリ（ＲＯＭ）
１０６    システム制御部
１０７    揮発性メモリ（ＲＡＭ）
１０８    画像処理部
１１０    画像表示装部
１１１    ＵＩ操作部
１１２    画像補正部
１１３    印刷画像生成部
１１４    印刷部
【図１】
2014068222.tif 000003
【図２】
2014068222.tif 000004
【図５】
2014068222.tif 000005
【図７】
2014068222.tif 000006
【図９】
2014068222.tif 000007
【図３】
2014068222.tif 000008
【図４】
2014068222.tif 000009
【図６】
2014068222.tif 000010
【図８】
2014068222.tif 000011